(57)【要約】【課題】乾燥空間内の濡れた衣類を効率的に乾燥可能な簡易乾燥ブースを提供する。【解決手段】簡易乾燥ブース１は、背板と一対の側板２０，２１と天板３０と底板４０とを有してなる箱状のブース本体１０を備える。ブース本体内にハンガーに掛けられた衣類を収容可能な収容空間部１１を形成し、収容空間部の上部にハンガー掛杆を設ける。ブース本体の前面に天板から底板に亘って開口して収容空間部に連通する開口部１２を形成する。開口部にこの上端から開口部の上下方向中央よりも下方位置まで延びるカーテン７０を設ける。開口部は、カーテンにより開閉されて衣類を出し入れするための開閉部分１２ａと、開閉部分よりも下方に位置して収容空間部内に乾燥用空気を送入するための空気送入部分１２ｂを有する。一対の側板の夫々に、収容空間部内の空気を排出させるための排気口２５を、開口部の上下方向中央よりも上方位置に開設する。【選択図】  図１
0003230945.tif 000002
【実用新案登録請求の範囲】
【請求項１】
上下方向に延びる背板と、前記背板の幅方向両端部に配設された一対の側板と、前記背板及び前記一対の側板の夫々の上端部及び下端部に配設された天板及び底板と、を有してなる箱状のブース本体を備え、
前記ブース本体の内部には、ハンガーに掛けられた衣類を収容可能な収容空間部が形成され、
前記収容空間部の上部には、前記衣類が掛けられた前記ハンガーを吊下するためのハンガー掛杆が設けられ、
前記ブース本体の前面には、前記天板から前記底板に亘って開口して前記収容空間部に連通する開口部が形成された簡易乾燥ブースであって、
前記開口部には、前記開口部の上端から前記開口部の上下方向中央よりも下方且つ前記開口部の下端よりも上方の位置まで、前記開口部の幅全体を覆って延びる開閉操作可能な遮蔽部材が設けられ、
それにより、前記開口部は、前記遮蔽部材により開閉されて前記収容空間部に対して前記衣類を出し入れするための開閉部分と、前記開閉部分よりも下方に位置して前記収容空間部内に乾燥用空気を送入するための空気送入部分と、に分けられており、
前記一対の側板の夫々には、前記収容空間部内の空気を排出させるための排気口が、前記開口部の上下方向中央よりも上方位置に開設されている、
ことを特徴とする簡易乾燥ブース。
【請求項２】
前記遮蔽部材は、非通気性で可撓性を有するシート材から形成されていて、前記天板の前縁に沿って設けられたレールから、前記開口部の幅方向への摺動により開閉自在に吊下されている、
ことを特徴とする請求項１に記載の簡易乾燥ブース。
【請求項３】
前記レールは、前記天板の前側端部の下面に、前記天板の幅方向に沿って延設されていて、前記開口部の上端を区画している、
ことを特徴とする請求項２に記載の簡易乾燥ブース。
【請求項４】
前記ハンガー掛杆は、前記天板よりも下方位置に配置されて前記天板に沿って幅方向に延び、
前記ハンガー掛杆の両端部の夫々は、前記一対の側板のうちの対向する側板よりも内側の位置に配置されている
ことを特徴とする請求項１に記載の簡易乾燥ブース。
【請求項５】
前記天板は、前記一対の側板及び前記背板の夫々の上部に対して着脱可能に装着され、
前記底板は、前記一対の側板及び前記背板の夫々の下部に対して着脱可能に装着されており、
前記一対の側板は、前記背板の内面側に対して折畳み可能に設けられている
ことを特徴とする請求項１に記載の簡易乾燥ブース。
【請求項６】
前記ブース本体は、上下方向に延びる直方体状に形成され、
前記一対の側板の夫々は、前後方向後側に配置された側板後部と、前記側板後部よりも前側に配置された側板前部と、前記側板後部と前記側板前部とを連結するヒンジとを有して、前記側板後部に対して前記側板前部が前記ヒンジによって前記背板の幅方向に回動可能であり、
前記側板前部の前後方向長さは、前記背板の幅方向長さの半分よりも短い
ことを特徴とする請求項５に記載の簡易乾燥ブース。
【請求項７】
前記一対の側板の夫々の前記側板前部を前記側板後部に対して前記背板の幅方向内側に回動させた状態で、前記背板、前記側板前部、前記側板後部によって囲まれる収納空間が形成され、
前記収納空間は、前記天板及び前記底板を収納可能な大きさを有している
ことを特徴とする請求項６に記載の簡易乾燥ブース。
【考案の詳細な説明】
【技術分野】
【０００１】
本考案は、送風機を利用して洗濯物等の濡れた衣類を室内で乾燥するための簡易乾燥ブースに関する。
【背景技術】
【０００２】
洗濯物を室内で乾燥させるための乾燥ブースには、下部に熱源を配置し、熱源の上方位置に濡れた洗濯物を吊り下げ可能に構成されたものが既に知られている。このような乾燥ブースは、例えば特許文献１に記載されたように、外形が長方形状に形成されたパイプ製の背フレーム及び側フレームにおいて、背フレームの両側に一対の側フレームを接続し、一対の側フレームの上端に小物載置ネットを載置し、小物載置ネットの下部にハンガー掛け部を一体に設け、一対の側フレームの上下方向の中央位置に複数の拡散孔を有した拡散板を接続し、拡散板から上方における背フレーム及び側フレームで形成される乾燥空間を合成樹脂製カバーで覆って構成されている。
【０００３】
拡散板の下方の収容空間には、ガスストーブや電気ストーブ等の熱源が設置され、乾燥空間内のハンガー掛け部にはハンガーを介して濡れた洗濯物が吊り下げられる。熱源を入れると、熱源からの熱風が拡散板を通って乾燥空間内で拡散して濡れた洗濯物の水分を気化させる。
【先行技術文献】
【特許文献】
【０００４】
【特許文献１】実開昭５７−１５２２９６号公報
【考案の概要】
【考案が解決しようとする課題】
【０００５】
しかしながら、特許文献１に記載の乾燥ブースは、乾燥空間の下部に設けられた拡散板の拡散孔を通じて外部と連通しているので、洗濯物から気化した水分が外部に排出され難い。このため、乾燥空間内の湿度が高くなり、洗濯物を効率的に乾燥させることができない虞がある。
【０００６】
そこで、本考案の技術的課題は、乾燥空間内の洗濯物等の濡れた衣類を効率的に乾燥可能な簡易乾燥ブースを提供することにある。
【課題を解決するための手段】
【０００７】
上記課題を解決するため、本考案に係る簡易乾燥ブースは、上下方向に延びる背板と、前記背板の幅方向両端部に配設された一対の側板と、前記背板及び前記一対の側板の夫々の上端部及び下端部に配設された天板及び底板と、を有してなる箱状のブース本体を備え、前記ブース本体の内部には、ハンガーに掛けられた衣類を収容可能な収容空間部が形成され、前記収容空間部の上部には、前記衣類が掛けられた前記ハンガーを吊下するためのハンガー掛杆が設けられ、前記ブース本体の前面には、前記天板から前記底板に亘って開口して前記収容空間部に連通する開口部が形成された簡易乾燥ブースであって、前記開口部には、前記開口部の上端から前記開口部の上下方向中央よりも下方且つ前記開口部の下端よりも上方の位置まで、前記開口部の幅全体を覆って延びる開閉操作可能な遮蔽部材が設けられ、それにより、前記開口部は、前記遮蔽部材により開閉されて、前記収容空間部に対して前記衣類を出し入れするための開閉部分と、前記開閉部分よりも下方に位置して前記収容空間部内に乾燥用空気を送入するための空気送入部分と、に分けられており、前記一対の側板の夫々には、前記収容空間部内の空気を排出させるための排気口が、前記開口部の上下方向中央よりも上方位置に開設されている、ことを特徴とする。
【０００８】
この場合において、好ましくは、前記遮蔽部材は、非通気性で可撓性を有するシート材から形成されていて、前記天板の前縁に沿って設けられたレールから、前記開口部の幅方向への摺動により開閉自在に吊下されている。また、好ましくは、前記レールは、前記天板の前側端部の下面に、前記天板の幅方向に沿って延設されていて、前記開口部の上端を区画している。
【０００９】
また、好ましくは、前記ハンガー掛杆は、前記天板よりも下方位置に配置されて前記天板に沿って幅方向に延び、前記ハンガー掛杆の両端部の夫々は、前記一対の側板のうちの対向する側板よりも内側の位置に配置されている。
【００１０】
また、好ましくは、前記天板は、前記一対の側板及び前記背板の夫々の上部に対して着脱可能に装着され、前記底板は、前記一対の側板及び前記背板の夫々の下部に対して着脱可能に装着されており、前記一対の側板は、前記背板の内面側に対して折畳み可能に設けられている。この場合において、より好ましくは、前記ブース本体は、上下方向に延びる直方体状に形成され、前記一対の側板の夫々は、前後方向後側に配置された側板後部と、前記側板後部よりも前側に配置された側板前部と、前記側板後部と前記側板前部とを連結するヒンジとを有して、前記側板後部に対して前記側板前部が前記ヒンジによって前記背板の幅方向に回動可能であり、前記側板前部の前後方向長さは、前記背板の幅方向長さの半分よりも短い。
【００１１】
また、好ましくは、前記一対の側板の夫々の前記側板前部を前記側板後部に対して前記背板の幅方向内側に回動させた状態で、前記背板、前記側板前部、前記側板後部によって囲まれる収納空間が形成され、前記収納空間は、前記天板及び前記底板を収納可能な大きさを有している。
【考案の効果】
【００１２】
以上のように、本考案によれば、乾燥空間内の洗濯物等の濡れた衣類を効率的に乾燥可能な簡易乾燥ブースを提供することができる。
【図面の簡単な説明】
【００１３】
【図１】送風機を利用した第１実施形態に係わる簡易乾燥ブースの斜視図である。
【図２】図２（ａ）はカーテンが取り外された簡易乾燥ブースの正面図であり、図２（ｂ）は簡易乾燥ブースの右側面図である。
【図３】簡易乾燥ブースの分解斜視図である。
【図４】簡易乾燥ブースの組立説明図である。
【図５】図５（ａ）は展開状態の側板を示す簡易乾燥ブースの部分平面図であり、図５（ｂ）は折畳んだ状態の側板を示す簡易乾燥ブースの部分平面図である。
【図６】図６（ａ）は横向きの天板及び底板を簡易乾燥ブース内に収納する際の説明図であり、図６（ｂ）は横向きにした天板及び底板が収納された簡易乾燥ブースの斜視図である。
【図７】図７（ａ）はカーテンが閉じた状態の第２実施形態に係わる簡易乾燥ブースの正面図であり、図７（ｂ）はカーテンが取り外された状態の本実施形態に係わる簡易乾燥ブースの正面図であり、図７（ｃ）は本実施形態に係わる簡易乾燥ブースの側面図である。
【図８】第２実施形態に係わる簡易乾燥ブースの組立説明図である。
【図９】図９（ａ）は第２実施形態に係わる縦向きの天板及び底板を簡易乾燥ブース内に収納する際の説明図であり、図９（ｂ）は横向きの天板及び底板を収納した簡易乾燥ブースの斜視図である。
【考案を実施するための形態】
【００１４】
以下に、本考案の実施形態に係る簡易乾燥ブースについて説明する。本実施形態では、簡易乾燥ブースを室内に設置し、且つ簡易乾燥ブース内に室内の空気を送入するための送風機として、首振りが可能で且つ空気を暖め可能なサーキュレーターを使用した場合について説明する。
【００１５】
[第１実施形態]
本実施形態の簡易乾燥ブース１は、図１、図２（ａ）、図２（ｂ）に示すように、上下方向に延びる直方体状に形成されている。簡易乾燥ブース１は、上下方向に延びる背板１３と、背板１３の幅方向（以下、「左右方向」と記す。）両端部に配置された一対の側板２０，２１と、背板１３及び一対の側板２０，２１の夫々の上端部及び下端部に配置された天板３０及び底板４０と、を有してなる箱状のブース本体１０を備える。これらの板は、例えばプラスチック段ボール板（プラダン）や中空構造の板材で形成される。ブース本体１０の内部には、ハンガーに掛けられた衣類Ｃ（洗濯物）を収容可能な収容空間部１１が形成される。本実施形態では、収容空間部１１は、背板１３と一対の側板２０，２１と天板３０と底板４０とで囲まれた直方体状の空間である。
【００１６】
側板２０，２１は、図２（ａ）、図２（ｂ）、図４に示すように、側板２０，２１の後側に位置する側板後部２０ａ、２１ａと、側板後部２０ａ、２１ａに対して前側に位置する側板前部２０ｂ、２１ｂと、側板後部２０ａ、２１ａ及び側板前部２０ｂ、２１ｂ間に設けられたヒンジ２３と、を有して、ヒンジ２３によって側板前部２０ｂ、２１ｂが側板後部２０ａ、２１に対して左右方向に回動可能に構成されている。即ち、側板２０，２１は、背板１３の内面側に対して折畳み可能に設けられている。側板後部２０ａ、２１ａ及び側板前部２０ｂ、２１ｂは、上下方向の寸法が略同一である一方、前後方向の寸法が側板前部２０ｂ、２１ｂの方が側板後部２０ａ、２１ａよりも長い。また、側板前部２０ｂ、２１ｂの前後方向長さＬ１（後述する第３補強部材５３も含む）は、背板１３の左右方向長さＬ２（後述する第２補強部材５２も含む）の半分よりも短い。
【００１７】
背板１３及び側板２０，２１は、図３に示すように、周囲に金属製の補強部材５０が取り付けられている。背板１３は正面視において上下方向に延びる長方形状に形成されており、背板１３の上端部には、背板１３の上端の左右方向長さと略同一寸法を有して左右方向に延びる第１補強部材５１が挿着されている。第１補強部材５１は、例えば、金属部材を押し出し成形することにより、金属部材の内部に左右方向に貫通する孔部が形成されるとともに、前方及び下方に向いて開口して左右方向に延びる２つの溝部が形成されている。金属部材は、例えば、アルミニウムを採用することができる。この溝部の一方に背板１３の上端部が挿着され、溝部の他方に天板３０の後端部が挿着される。背板１３の下端部にも第１補強部材５１が挿着されている。すなわち、第１補強部材５１の溝部の一方に背板１３の下端部が挿着され、溝部の他方に底板４０の後端部が挿着されている。
【００１８】
背板１３の左端部には、背板１３の左端の上下方向長さと略同一寸法を有して上下方向に延びる第２補強部材５２が挿着されている。第２補強部材５２は、第１補強部材５１と同様の構成を有して、内部に上下方向に貫通する孔部を有するとともに、前方及び右方向に向いて開口して上下方向に延びる２つの溝部が形成されている。この溝部の一方に背板１３の左端部が挿着され、溝部の他方に側板後部２０ａの後端部が挿着されている。背板１３の右端部にも第２補強部材５２が挿着されている。すなわち、第２補強部材５２の溝部の一方に背板１３の右端部が挿着され、溝部の他方に側板後部２１ａの後端部が挿着されている。
【００１９】
隣接する第１補強部材５１の左端部と第２補強部材５２の上端部とは、第１端部キャップ６１を介して連結されている。第１端部キャップ６１は、互いに直交する方向（上下、左右、前後方向）に突出する３つの係止突起部６１ａが設けられている。これらの係止突起部６１ａのうち左右方向に延びる係止突起部６１ａが第１補強部材５１の孔部内に挿着され、上下方向に延びる係止突起部６１ａが第２補強部材５２の孔部内に挿着されて、第１端部キャップ６１を介して第１補強部材５１及び第２補強部材５２が連結されている。本実施形態では、４つの第１端部キャップ６１によって、背板１３の周囲に挿着された第１補強部材５１、５１及び第２補強部材５２、５２が互いに連結されている。よって、背板１３は、その外周が第１補強部材５１、第２補強部材５２によって囲まれて剛性が強化されている。
【００２０】
ところで、本実施形態では、図３に示すように、側板２０，２１は左右に一対設けられていて同一形状を有しているので、左側に配置された側板２０について説明し、右側に配置された側板２１については、左側の側板２０と同一態様部分ついては同一符号を付して説明を省略する。さて、左側に配置された側板２０の側板後部２０ａの後端部は、前述したように第２補強部材５２の溝部に挿着され、側板後部２０ａの前端部は第３補強部材５３に挿着されている。第３補強部材５３は、側板後部２０ａの上下方向長さと略同一寸法を有して上下方向に延びて、内部に上下方向に貫通する孔部を有するとともに、後方に向いて開口する溝部が上下方向に延びている。この溝部に側板後部２０ａの前端部が挿着されている。
【００２１】
側板後部２０ａの上端部には第４補強部材５４が挿着されている。第４補強部材５４は、側板後部２０ａの前後方向長さと略同一寸法を有して前後方向に延びて、内部に前後方向に貫通する孔部を有するとともに、下方向及び右方向に向いて開口する２つの溝部が前後方向に延びている。この下方向に向いて開口する溝部に側板後部２０ａの上端部が挿着され、右方向に向いて開口する溝部に天板３０の左端部が挿入されている。側板後部２０ａの下端部には第４補強部材５４が挿着されている。第４補強部材５４の上方向に向いて開口する溝部に側板後部２０ａの下端部が挿着され、右方向に向いて開口する溝部に底板４０の左端部が挿着されている。
【００２２】
第２補強部材５２の上部と第４補強部材５４の後部は、第１端部キャップ６１の上下方向に延びる係止突起部６１ａが第２補強部材５２の孔部に挿入され、且つ前後方向に延びる係止突起部６１ａが第４補強部材５４の孔部に挿入されて、第１端部キャップ６１を介して第２補強部材５２及び第４補強部材５４が一体的に連結されている。また、第２補強部材５２の下部と第４補強部材５４の後部は、上側に配置された第１端部キャップ６１と同様に、第１端部キャップ６１を介して連結されている。
【００２３】
第３補強部材５３の上端部と第４補強部材５４の前端部は、第２端部キャップ６２を介して一体的に連結されている。第２端部キャップ６２は、互いに直交する方向（上下方向、前後方向）に突出する２つの係止突起部６２ａが設けられている。これらの係止突起部６２ａが第３補強部材５３と第４補強部材５４の孔部内に挿着されて、第２端部キャップ６２を介して第３補強部材５３及び第４補強部材５４が連結されている。また、第３補強部材５３の下端部と第４補強部材５４の前端部は、上側に配置された第２端部キャップ６２と同様に、第２端部キャップ６２を介して連結されている。このため、側板後部２０ａは、その外周が第２補強部材５２、第３補強部材５３及び第４補強部材５４，５４によって囲まれて剛性が強化されている。
【００２４】
側板２０の側板前部２０ｂの後端部及び前端部の夫々は、第３補強部材５３の溝部に挿着され、側板前部２０ｂの上端部及び下端部は、第５補強部材５５に挿着されている。第５補強部材５５は、側板前部２０ｂの前後方向長さと略同一寸法を有して前後方向に延びて、内部に前後方向に貫通する孔部を有するとともに、下方向（上方向）及び右方向に向いて開口する２つの溝部が前後方向に延びている。この下方向に開口する溝部に側板前部２０ｂの上端部が挿着され、右方向に開口する溝部に天板３０の左端部が挿抜可能に挿着される。また、上方向に開口する溝部に側板前部２０ｂの下端部が挿着され、右方向に開口する溝部に底板４０の左端部が挿着されている。
【００２５】
第３補強部材５３と第５補強部材５５は、第２端部キャップ６２を介して一体的に連結されている。このため、側板前部２０ｂは、その外周が第３補強部材５３及び第５補強部材５５によって囲まれて剛性が強化されている。
【００２６】
このように構成された側板後部２０ａ及び側板前部２０ｂは、ヒンジ２３によって連結されている。ヒンジ２３は、図５（ａ）に示すように、いわゆる蝶番であり、一対の板状の羽２３ａ、２３ａ’が軸２３ｂを介して回動可能に連結されている。ヒンジ２３（蝶番）は、一方の羽２３ａが側板後部２０ａの前側に挿着された第３補強部材５３の内面に固定され、他方の羽２３ａ’が側板前部２０ｂの後側に挿着された第３補強部材５３の内面に固定されて、側板後部２０ａに対して側板前部２０ｂがヒンジ２３（蝶番）によって左右方向に回動自在である。このため、側板前部２０ｂ、２１ｂは、側板後部２０ａ，２１ａに対して前後方向に延びた展開位置Ｐｄと、側板後部２０ａ，２１ａに対して内側方向に回動した折畳み位置Ｐｆ（図５（ｂ）参照）との間で回動可能である。なお、本実施形態では、ヒンジ２３（蝶番）は、図４に示すように、側板後部２０ａ、２１ａ及び側板前部２０ｂ、２１ｂに対して上下方向に間隔を有して２つ配設されている。
【００２７】
天板３０は、図３に示すように、平面視において方形状に形成され、前後方向長さが側板２０，２１の前後方向長さと略同一であり、且つ左右方向長さが背板１３の左右方向長さと略同一である。天板３０の下面の左右方向両側には、下方へ突出した一対の支持部材３１が設けられている。本実施形態では、一対の支持部材３１は、天板３０の前後方向中央よりも前側であって、且つ天板３０の左右両端の夫々から内側に所定の同一距離を有した位置に配設されている。
【００２８】
支持部材３１は、側面視において上方から下方に進むにしたがって前後方向の幅が小さくなる台形状に形成されて左右方向に厚さを有した肉厚部材である。本実施形態では、支持部材３１は樹脂等で一体成形された一体成型品である。支持部材３１の上下方向長さ（高さ）Ｌ３（図６（ｂ）参照）は、側板後部２０ａ、２１ａに対して側板前部２０ｂ、２１ｂを内側に回動させたときに、側板２０，２１の内側に形成される収納空間７の前後方向長さＬ４（図５（ｂ）参照）よりも小さい。収納空間７の詳細は後述する。支持部材３１の下部には左右方向に貫通する孔部３１ａが形成されている。
【００２９】
収容空間部１１の上部には、図２（ａ）及び図３に示すように、衣類Ｃが掛けられたハンガーｈを吊下するためのハンガー掛杆３２が設けられている。ハンガー掛杆３２は円筒状に形成されており、ハンガー掛杆３２の両端部が左右一対の支持部材３１の孔部３１ａに挿着されている。ハンガー掛杆３２は、例えばアルミニウム等の金属材料を押し出し成形したものを採用することができる。なお、ハンガー掛杆３２は、円筒状に限るものではなく、内部が中実な円柱状でもよい。なお、ハンガー掛杆３２は、ブース本体１０に対して左右方向に延びた状態で設けられているが、前後方向に延びた状態で設けられてもよい。
【００３０】
このように、ハンガー掛杆３２は、その両端部が支持部材３１によって支持されて、天板３０よりも下方位置に配置されて天板３０に沿って幅方向に延びるとともに、ハンガー掛杆３２の両端部の夫々が対向する側板２０，２１よりも内側の位置に配置されている。このため、ハンガー掛杆３２と天板３０との間、及びハンガー掛杆３２を支持する一対の支持部材３１の夫々と対向する側板２０，２１との間には、濡れた衣類Ｃを乾燥させて湿度が高くなった空気を、収容空間部１１の上部から天板３０側へ流して向きを変えて一対の側板２０，２１側へ流して下方に向きを変えて排気口２５に導くための空気流通空間１１ａが形成されている。
【００３１】
天板３０の前端部には、第１補強部材５１が挿着されている。第１補強部材５１は、前述したように、孔部と２つの溝部を有して形成されているが、第１補強部材５１には、更に下方を向く溝部よりも後方側へ突出して左右方向に延びて下方を向いた段部が形成されている。この段部にカーテンレール５７（レール）が締結手段等を介して取り付けられている。カーテンレール５７は、開口部１２の上端を区画する。
【００３２】
天板３０に挿着された第１補強部材５１の左右両端部には、第３端部キャップ６３が挿着されている。第３端部キャップ６３は、左右方向内側へ突出する係止突起部６３ａと、第１補強部材５１の左右方向の端よりも外側に位置して後方側へ突出して側板前部２０ｂ、２１ｂの前側上部に取り付けられた第２端部キャップ６２の左右方向外側面に対向配置される係止段部６３ｂとを有する。係止段部６３ｂは、図４に示すように、側板前部２０ｂ、２１ｂの上部において、第２端部キャップ６２の左右方向外側面に接触して、側板前部２０ｂ、２１ｂの上側が左右方向外側へ広がるのを制限する。
【００３３】
底板４０は、図３に示すように、天板３０と同様に、平面視において方形状に形成され、前後方向長さが側板２０，２１の前後方向長さと略同一であり、且つ左右方向長さが背板１３の左右方向長さと略同一である。底板４０の前端部には、第６補強部材５６が挿着されている。第６補強部材５６は、内部に左右方向に貫通する孔部が形成されているとともに、後方に向いて開口して左右方向に延びる溝部が形成されている。この溝部に底板４０の前端部が挿着されている。
【００３４】
また、第６補強部材５６の前方には、左右両側に第３端部キャップ６３が挿着された連結部材５９が配設されている。連結部材５９は、第６補強部材５６に沿って左右方向に延びて、内部に左右方向に貫通する孔部が形成されている。この孔部の左右両端に第３端部キャップ６３が挿着されている。第３端部キャップ６３の係止段部６３ｂは、側板前部２０ｂ、２１ｂの下部において、第２端部キャップ６２の左右方向外側面に接触して、側板前部２０ｂ、２１ｂの下側が左右方向外側へ広がるのを制限する。
【００３５】
このように構成された簡易乾燥ブース１の前面には、図１及び図２（ａ）に示すように、天板３０から底板４０に亘って前方に向かって開口して収容空間部１１に連通する開口部１２が形成されている。即ち、開口部１２は、天板３０に挿着された第１補強部材５１と、左右両側に配置された側板前部２０ｂ，２１ｂに挿着された第３補強部材５３と、底板４０に挿着された第６補強部材５６とで囲まれて形成されている。本実施形態では、開口部１２は、正面視において縦長の長方形状に形成されている。
【００３６】
開口部１２には、開口部１２の上端から開口部１２の上下方向中央Ｐｓよりも下方且つ開口部１２の下端よりも上方の位置まで延びて、開口部１２の幅全体を覆って延びる開閉操作可能なカーテン７０（遮蔽部材）が設けられている。カーテン７０は、絹、麻等の布製、合成樹脂製等の可撓性及び非通気性を有するシート材で形成されるとともに、カーテン７０を通じて収容空間部１１内が視認できないような遮光性を有している。なお、開口部１２の上側を覆う遮蔽部材は、カーテン７０に限るものではなく、スライド式のスクリーンでもよい。
【００３７】
カーテン７０の上端部には、左右方向に所定間隔を有して複数のフックが取り付けられており、これらのフックをカーテンレール５７に設けられたランナー５８（図２（ａ）参照）に掛止することで、カーテン７０が開口部１２に着脱可能に設けられている。本実施形態では、カーテン７０は、その左側端の上部に設けられたフックがカーテンレール５７の左側端部に対してスライド移動できないように係止されている。このため、カーテン７０は、その左側端に対して右側部分がカーテンレール５７に沿って左右方向に摺動可能である。
【００３８】
カーテン７０は、開口部１２の上端から開口部１２の上下方向中央Ｐｓよりも下方位置まで延びているが、本実施形態では、カーテン７０は、開口部１２の上端から下方に向かって開口部１２の上下方向長さの約３／５を有した位置まで延びている。開口部１２は、収容空間部１１に対して衣類Ｃを出し入れするための開閉部分１２ａと、開閉部分１２ａよりも下方に位置して収容空間部１１内に乾燥用空気を送入するための空気送入部分１２ｂと、を有してなる。このため、カーテン７０によって開口部１２の開閉部分１２ａを閉じると、カーテン７０の下端から下方には開口部１２の空気送入部分１２ｂが開口する。
【００３９】
カーテン７０は、開口部１２を閉じた状態において、縦長の長方形状に延びるとともに、カーテン７０の上端部が略直線状に延びる。このため、カーテン７０によって開閉部分１２ａの上端が隙間無く覆われるので、開閉部分１２ａの上端部から収容空間部１１内の空気が外部に漏れ出す虞を抑制することができる。このように、カーテン７０は、左側端部に対して右側部分を右方向に摺動させると、開閉部分１２ａを閉じることができ、また開閉部分１２ａを閉じた状態からカーテン７０の右側部分を左方向に摺動させて折畳んだ状態にすると、開閉部分１２ａを開放させた状態にすることができる。
【００４０】
ところで、本実施形態に係わる簡易乾燥ブース１では、カーテン７０を閉じた状態で、開口部１２の空気送入部分１２ｂを通じて外部に設置されたサーキュレーター５（送風機）から温風（乾燥用空気）を簡易乾燥ブース１内に送入した場合、簡易乾燥ブース１の収容空間部１１に吊り下げられた濡れた衣類Ｃ（図２（ａ）参照）に温風が当たると、濡れた衣類Ｃの水分が温風から熱を奪って気化して収容空間部１１の上方へ移動する。しかしながら、この気化した水分は下方から上方へ向かって流れる温風によって下方への移動がし難いため、収容空間部１１内の空気中の湿度が高い状態となり、衣類Ｃが乾き難くなる虞が生じる。
【００４１】
そこで、図１、図２（ａ）、図２（ｂ）に示すように、一対の側板２０，２１の側板前部２０ｂ，２１ｂの夫々における開口部１２の上下方向中央Ｐｓよりも上方位置に、収容空間部１１に連通する排気口２５が設けられている。本実施形態では、排気口２５は、開口部１２の上下方向中央Ｐｓよりも上方位置であり、且つハンガー掛杆３２よりも下方位置に配設されている。また、排気口２５は、側板前部２０ｂ、２１ｂの前後方向長さＬ１の約半分の長さを一辺とする矩形状に形成されている。
【００４２】
このため、カーテン７０を閉じた状態で、開口部１２の空気送入部分１２ｂを通じてサーキュレーター５から温風を簡易乾燥ブース１の収容空間部１１内に送入した場合、ハンガー掛杆３２に吊り下げられた濡れた衣類Ｃに温風が当たると、温風は衣類Ｃの水分から熱が奪われて、衣類Ｃの水分が気化する。そして、気化した水分及び熱が奪われて温度が下がった空気（以下、これらを「混合気体」と記す。）は、空気流通空間１１ａを通って排気口２５から排出される。即ち、混合気体は、収容空間部１１の上部の天板３０側へ流れて向きを変えて一対の側板２０，２１側へ流れて下方へ向きを変えて排気口２５から排出される。このため、混合空気は収容空間部１１内で滞留しないので、収容空間部１１内の湿度の上昇が抑制されて、濡れた衣類Ｃを効率的に乾燥させることができる。
【００４３】
また、衣類Ｃの乾燥状態は、サーキュレーター５を駆動させたままで、カーテン７０を少し開けることにより、開いた隙間から手を差し入れて洗濯物Ｌを触ることができる。また、カーテン７０を閉じたままで、排気口２５から手を収容空間部１１内に差し入れることにより、洗濯物Ｌを触ることができる。よって、本実施形態では、衣類Ｃの乾燥状態を容易に確認することができる。なお、本実施形態では、サーキュレーター５によって簡易乾燥ブース１が設置された部屋内の空気を暖めて乾燥用空気として収容空間部１１内に送入したが、部屋内の空気そのものを乾燥用空気として収容空間部１１内に送入してもよい。
【００４４】
次に、本実施形態の簡易乾燥ブース１を収納する場合について説明する。図６（ａ）及び図６（ｂ）に示すように、一対の側板２０，２１の夫々の側板後部２０ａ、２１ａに対して側板前部２０ｂ、２１ｂを、ヒンジ２３によって左右方向内側に回動させると、側板前部２０ｂ、２１ｂが背板１３に対して略平行に延びた状態となって、左右一対の側板前部２０ｂ、２１ｂの前端間に僅かな隙間６が形成される。そして、背板１３、側板前部２０ｂ、２１ｂ、側板後部２０ａ、２１ａによって囲まれた収納空間７が形成される。
【００４５】
ここで、図６（ａ）に示すように、天板３０に対して第１補強部材５１が右側に位置するように天板３０の姿勢を横向きに変えた状態では、天板３０における背板１３の左右方向に沿った長さＬ６は、背板１３の両端部に挿着された一対の第２補強部材５２間の長さ（背板１３の左右方向長さ）Ｌ２よりも短く、また天板３０に取り付けられた支持部材３１の高さＬ３は、側板後部２０ａ，２１ａの前後方向長さＬ５よりも短い。
【００４６】
一方、底板４０に対して連結部材５９が右側に位置するように底板４０の姿勢を横向きに変えた状態では、底板４０における背板左右方向に沿った長さＬ６は、背板１３の両端部に挿着された一対の第２補強部材５２間の長さＬ２よりも短い。また、天板３０に挿着された第１補強部材５１の両端に挿着された一対の第３端部キャップ６３間の長さＬ７と、底板４０に挿着された連結部材５９の両端に挿着された一対の第３端部キャップ６３間の長さＬ７とを合算した長さは、背板１３の上下方向長さ（高さ）Ｌ８よりも小さい。
【００４７】
このため、図６（ｂ）に示すように、天板３０のカーテンレール５７からカーテン７０を取り外した状態で、第１補強部材５１を左右方向の一方側（本実施形態では右側）に向けた横向きの天板３０と、連結部材５９を左右方向の一方側（本実施形態では右側）に向けた横向きの底板４０とを、上下方向に直線状に並べた状態で、これら天板３０及び底板４０を収納空間７内に収納することができる。
【００４８】
また、背板１３の左右方向長さＬ２（幅方向長さ）は、左右一対の側板前部２０ｂ、２１ｂの前後方向長さＬ１の約２倍になるように構成されているので、側板前部２０ｂ、２１ｂの前後方向長さＬ１を短くすることで、背板１３の左右方向長さＬ２を短縮化することができる。このため、簡易乾燥ブース１がコンパクト化されて、簡易乾燥ブース１を持ち運ぶ際の労力を軽減することができる。さらに、簡易乾燥ブース１の収納時における収納スペースの確保を容易にすることができる。
【００４９】
なお、図４に示すように、第１補強部材５１の両端部に一対の第３端部キャップ６３が挿着された天板３０は、一対の第３端部キャップ６３間の長さＬ７が背板１３の左右方向長さＬ２を超えた寸法となる。このため、第１補強部材５１の両側に第３端部キャップ６３を挿着したままでは、天板３０に対して第１補強部材５１が上側になる縦向きの姿勢で天板３０を収納空間７内に収容することができない。また、底板４０も同様に、底板４０に対して連結部材５９を上側に向けた縦向きの姿勢で底板４０を収納空間７内に収容することができない。そこで、縦向きにした天板３０及び底板４０を、収納空間７内に収納可能な簡易乾燥ブース１’について第２実施形態で説明する。
【００５０】
[第２実施形態]
次に、本考案の第２実施形態に係わる簡易乾燥ブース１’について説明する。第１実施形態では、第１補強部材５１を右側に向けた横向きの天板３０と、連結部材５９を右側に向けた横向きの底板４０とを、上下方向に直線状に並べた状態で、収納空間７内に収納できる例を示した。本実施形態では、第１補強部材５１を上側に向けた縦向きの天板３０と、連結部材５９を上側に向けた縦向きの底板４０とを、上下方向に直線状に並べた状態で、収納空間７内に収納する。以下、本実施形態に係わる簡易乾燥ブース１’では、第１実施形態との差異点を中心に説明し、第１実施形態に係わる簡易乾燥ブース１と同一態様部分については同一符号を付して説明を省略する。
【００５１】
本実施形態に係わる簡易乾燥ブース１’は、図７（ａ）、図７（ｂ）、図７（ｃ）に示すように、第１実施形態に係わる簡易乾燥ブース１と比較して、小型化されている。即ち、簡易乾燥ブース１’の背板１３の上下方向長さ（高さ）Ｌ８が短縮化されている。また、ハンガー掛杆３２を支持する支持部材３１の高さＬ３が短縮化されている。一方、側板２０，２１の前後方向長さＬ１０は同一であるが、側板後部２０ａ、２１ａの長さＬ５が短縮化され、側板前部２０ｂ、２１ｂの長さＬ１が長尺化されている。なお、背板１３の左右方向長さ（幅）Ｌ２は同一である。
【００５２】
また、図８に示すように、天板３０に挿着された第１補強部材５１の両端部内には、雌ねじ部６６ａが形成されたねじ板６６が挿着されており、ねじ板６６の外側端面は、第１補強部材５１の端部と略同一面上に配置されている。
【００５３】
側板前部２０ｂ、２１ｂの上端部及び下端部に配設された第２端部キャップ６２の中央には、左右方向に貫通してねじ６７が挿入可能な孔部６２ｂが設けられている。この孔部６２ｂは、天板３０が簡易乾燥ブース１’の上部に挿着された状態で、孔部６２ｂ内に挿入されたねじ６７がねじ板６６の雌ねじ部６６ａに螺合すると、第１補強部材５１が第１補強部材５１に固定されるように構成されている。孔部６２ｂは、ねじ６７全体を没入可能な大きさを有しており、ねじ６７をねじ板６６に螺合させると、ねじ６７の頭部が孔部６２ｂ内に没入して、外部からねじ６７は見えにくくなる。
【００５４】
また、底板４０に挿着された連結部材５９も第１補強部材５１と同様に、連結部材５９の両端部内にねじ板６６が挿着され、ねじ板６６の端面は連結部材５９の端部と略同一面上に配置されている。また、側板前部２０ｂ、２１ｂの下部に配設された第２端部キャップ６２も側板前部２０ｂ、２１ｂの上部に配設された第２端部キャップ６２と同様に、第２端部キャップ６２の中央に左右方向に貫通する孔部６２ｂが設けられている。孔部６２ｂは、底板４０が簡易乾燥ブース１’の下部に挿着された状態で、孔部６２ｂ内に没入されたねじ６７をねじ板６６の雌ねじ部６６ａに螺合させると、ねじ６７の頭部が孔部６２ｂ内に没入されて、外部からねじ６７は見えにくくなる。
【００５５】
このように、天板３０に挿着された第１補強部材５１の左右両端部及び底板４０に挿着された連結部材５９の左右両端部には、左右方向に突出するものがない。また、第１補強部材５１及び天板３０の左右方向長さＬ９はともに同一であり、連結部材５９及び底板４０の左右方向長さＬ９もともに同一である。また、天板３０及び底板４０の夫々の左右方向長さＬ９は、背板１３の左右方向長さＬ２（幅方向長さ）よりも小さい。
【００５６】
よって、図９（ａ）及び図９（ｂ）に示すように、天板３０のカーテンレール５７からカーテン７０を取り外した状態で、第１補強部材５１を上側に向けた縦向きの天板３０と、連結部材５９を上側に向けた縦向きの底板４０とを、上下方向に直線状に並べた状態で、これら天板３０及び底板４０を縦向きの姿勢で収納空間７内に収納することができる。
【００５７】
また、天板３０が簡易乾燥ブース１’の上部に挿着された状態で、孔部６２ｂ内に没入されたねじ６７をねじ板６６の雌ねじ部６６ａに螺合することで、天板３０と側板前部２０ｂ、２１ｂの上端部とが第２端部キャップ６２を介して一体化して、側板前部２０ｂ、２１ｂの上側が左右方向外側へ広がるのを制限することができる。更に、底板４０が簡易乾燥ブース１’の下部に挿着された状態で、孔部６２ｂ内に没入されたねじ６７をねじ板６６の雌ねじ部６６ａに螺合することで、底板４０と側板前部２０ｂ、２１ｂの下端部が第２端部キャップ６２を介して一体化して、側板前部２０ｂ、２１ｂの下側が左右方向外側へ広がるのを制限することができる。
【符号の説明】
【００５８】
１、１’  簡易乾燥ブース
５    サーキュレーター
６    隙間
７    収納空間
１０    ブース本体
１１    収容空間部
１１ａ  空気流通空間
１２    開口部
１２ａ  開閉部分
１２ｂ  空気送入部分
１３    背板
２０，２１  側板
２０ａ、２１ａ    側板後部
２０ｂ、２１ｂ    側板前部
２３    ヒンジ
２３ａ、２３ａ’  羽
２３ｂ  軸
２５    排気口
３０    天板
３１    支持部材
３１ａ、６２ｂ  孔部
３２  ハンガー掛杆
４０  底板
５０  補強部材
５１  第１補強部材
５２  第２補強部材
５３  第３補強部材
５４  第４補強部材
５５  第５補強部材
５６  第６補強部材
５７  カーテンレール（レール）
５８  ランナー
５９  連結部材
６１  第１端部キャップ
６１ａ，６２ａ，６３ａ  係止突起部
６２  第２端部キャップ
６３  第３端部キャップ
６３ｂ  係止段部
６６  ねじ板
６６ａ  雌ねじ部
６７  ねじ
７０  カーテン（遮蔽部材）
Ｃ    衣類（洗濯物）
Ｐｄ  展開位置
Ｐｆ  折畳み位置
Ｐｓ  上下方向中央
【図１】
0003230945.tif 000003
【図２】
0003230945.tif 000004
【図３】
0003230945.tif 000005
【図４】
0003230945.tif 000006
【図５】
0003230945.tif 000007
【図６】
0003230945.tif 000008
【図７】
0003230945.tif 000009
【図８】
0003230945.tif 000010
【図９】
0003230945.tif 000011